(57)【特許請求の範囲】
【請求項１】
手に掴まれる竿と、網袋が張設され竿の先端部に取付けられた網枠とを備え、該竿の先端部に竿の延長線上付近にある網枠の一部と網枠の外部空域とを照射する着脱自在な投光器を装備した捕獲用網において、該投光器の内部に投光器の傾斜によりスライドし、点灯・消灯を切り替えるスイッチ構造を備えていることを特徴とする捕獲用網。
【請求項２】
請求項１の捕獲用網において、該投光器の傾斜によりスライドし、点灯・消灯するスイッチのスライド部材をボール形状とし、該ボールに転動移動を規制する規制部材を当接したことを特徴とする捕獲用網。
【発明の詳細な説明】
【０００１】
【発明の属する技術分野】
本発明は、魚介類，昆虫等の小動物を捕獲する際に使用される捕獲用網に係る技術分野に属する。
【０００２】
【従来の技術】
従来、捕獲用網としては、例えば、実開昭６０−７７３６３号公報に記載のものが知られている。
【０００３】
この従来の捕獲用網は、魚釣りで掛けた魚を取込む際に使用される玉網からなるもので、手に掴まれる竿と、網袋が張設され竿の先端部に取付けられた網枠と、竿の内部に収納された発光素子と、発光素子に接続され網枠に沿って配設された露光部付きの光ファイバを備えてなる。
【０００４】
この従来の捕獲用網によると、夜間に光ファイバの露光部で網枠の輪郭を浮上がらせるように照明することができるため、掛けた魚を正確に網枠（網袋）に取込む（捕獲）ことができる。
【０００５】
また、他の従来例として、実開昭６１−１９３７６８公報に記載のものも知られている。
【０００６】
この従来の捕獲用網は、竿の先端部に網を取付け掬い網を形成して、電球を設けている、手元のスイッチをＯＮにすると電球が点灯して網が照らされるので、釣り魚を掬うことが容易に行うことができる。
【０００７】
【発明が解決しようとする課題】
前述の従来の捕獲用網では、光ファイバの露光部の照明範囲が限定されていることから、夜間に網枠の位置を正確に知ることができるものの、掛けた魚等の捕獲しようとする小動物の位置を正確に知ることができず、小動物が網枠にかなり接近するまで網枠を頻繁に移動させて小動物の位置を探照しなければならないため、小動物に危険を察知させてしまって取逃がしてしまうことが多いという問題点がある。
【０００８】
また、他の従来の捕獲用網では、電球の点灯・消灯を切り替える為に手元にスイッチを設けたことで、組付けが複雑となり、また防水性、防塵性等にも考慮しなくてはならなくなり、価格が高価になるなどの問題点がある。さらに、通常捕獲用網を使用する場合には緊急性を伴う場合が多く、スイッチを操作している間に、やはり小動物に危険を察知させてしまって取逃がしてしまうことが多いという問題点がある。
【０００９】
本発明は、このような問題点を考慮してなされたもので、夜間に網枠の位置と捕獲しようとする小動物の位置との双方を正確に知ると共に、網を使用する捕獲動作によって投光器のスイッチを入・切することができる捕獲用網を提供することを課題とする。
【００１０】
【課題を解決するための手段】
前述の課題を解決するため、本発明に係る捕獲用網は、次のような手段を採用する。
【００１１】
即ち、請求項１では、手に掴まれる竿と、網袋が張設され竿の先端部に取付けられた網枠とを備え、該竿の先端部に竿の延長線上付近にある網枠の一部と網枠の外部空域とを照射する着脱自在な投光器を装備した捕獲用網において、該投光器の内部に投光器の傾斜によりスライドし、点灯・消灯を切り替えるスイッチを装備したことを特徴とする。
【００１２】
この手段では、竿に装備された投光器の内部に、投光器の傾斜によりスライドし、点灯・消灯を切り替えるスイッチが装備されているため、竿を掴んだ使用者の捕獲動作に応動して投光器が照射する。
【００１３】
また、請求項２では、請求項１の捕獲用網において、該投光器の傾斜によりスライドし、点灯・消灯するスイッチのスライド部材をボール形状とし、該ボールに転動移動を規制する規制部材を当接したことを特徴とする。
【００１４】
この手段では、竿に装備された投光器の傾斜によりスライドし、点灯・消灯を切り替えるスイッチ内部の、ボールの転動移動を規制する為、竿を掴んだ使用者の捕獲動作の程度に応動して投光器が照射する。
【００１５】
【発明の実施の形態】
以下、本発明に係る捕獲用網の実施の形態を図面に基づいて説明する。
【００１６】
図１〜図２及び図４は、本発明に係る捕獲用網の実施の形態（１）を示すものである。
【００１７】
この実施の形態では、前述の従来例と同様の玉網からなるものを示してある。
【００１８】
この実施の形態は、図１，図２，図４に示すように、竿１，網枠２，連結具３，網袋４，投光器５の各部で構成されている。
【００１９】
竿１は、手に掴んで自由に振回すことのできる軽量材で長尺のパイプに形成されている。この竿１は、先端部の外部に投光器５を着脱自在に取付られ、この竿１には長さを伸縮させるスライド構造，継構造等が備えられる。
【００２０】
網枠２は、ある程度の荷重に耐える強靱な材料で円形のリングに形成されている。この網枠２は、一部が切欠されて連結具３へ連結される２つの連結端２ａ，２ｂが設けられている。
【００２１】
連結具３は、合成樹脂材，金属材等でほぼＴ字形のパイプに形成されている。この連結具３は、竿１の先端部が挿入される相対的に大径の直状の１つの連結孔３ａと、網枠２の連結端２ａ，２ｂが挿入される相対的に小径の曲形の２つの連結孔３ｂ，３ｃとが設けられている。この連結具３では、図２及び図３に示すように、挿入された竿１の先端部が固定され、挿入された網枠２の連結端２ａ，２ｂが抜出し可能になっている。
【００２２】
網袋４は、合成樹脂糸で袋形に編組されている。この網袋４は、網枠２に周回され吊下げられるように張設され、網枠２の連結端２ａ，２ｂから着脱可能である。
【００２３】
投光器５は、図２及び図３，図４に詳細に示されるように、ケース５ａ，キャップ５ｂ，パッキング５ｃで防水外装が構成され、竿１の先端部の外部に該ケース５ａの下部に連結具３の外周面に当接されるクッション材からなる取付座５ｒが設けられ、取付座５ｒに止ピン５ｓが取付けられ、連結具３の上に載せて連結具３に巻付けたゴム材等からなるベルト７を止ピン５ｓに止めることで、連結具３（竿１）に装備される。
【００２４】
さらに、投光器５のケース５ａは、竿１の先端部に嵌合される有底の円筒形に形成され、竿１の先端部の端口に係止するフランジ５ｄとを備えている。キャップ５ｂは、竿１の先端部に固定される有天の円筒形に形成され、竿１の先端部の雄ネジ１ｂに螺合する雄ネジ５ｆと後述の発光体５ｈが発光した光を収束するレンズ５ｇとを備えている。パッキング５ｃは、ケース５ａ，キャップ５ｂの間に嵌込まれたＯリングからなる。
【００２５】
ケース５ａ，キャップ５ｂ，パッキング５ｃからなる防水外装の内部には、小型で輝度の高い発光ダイオードからなる発光体５ｈと、発光体５ｈが発光した光を反射させる錐筒形の反射鏡５ｉと、発光体５ｈの発光エネルギ源となるバッテリ５ｊと、発光体５ｈ，バッテリ５ｊを接続するリード片５ｋと、バッテリ５ｊとリード片５ｋとにスイッチ（電気回路）を構成する為のボール５ｏが組込まれている。
【００２６】
図２の本発明に係る捕獲用網の実施の形態（１）の該ボール５ｏは、ケース５ａに設けられた、ボール５ｏが転動移動可能な通路５ｐを竿１の軸方向に設けバッテリ５ｊに臨ませてある。
【００２７】
前述のボール５ｏが転動移動可能な通路５ｐは、該ボール５ｏの径とほぼ同一のリング形に形成してある。また、投光器５のボール座５ｑを省略してある。
【００２８】
この実施の形態によると、竿１を小動物の捕獲のために下方に向けて傾けただけで、ボール５ｏが通路５ｐを転動移動し接点５ｌに接触して、投光器５から光が照射される。従って、竿１を掴んだ使用者の捕獲動作への応動性が良好になる。なお、投光器５からの光の照射を停止するには、竿１の先端部分を上方へ向けるだけでよい。
【００２９】
図３は、本発明に係る捕獲用網の実施の形態（２）を示すものである。
【００３０】
この実施の形態では、前述の実施の形態（１）と同様にボール５ｏが転動移動可能な通路５ｐを竿１の軸方向に設けバッテリ５ｊに臨ませてあり、さらに投光器５の接点５ｌは、ボール５ｏ，バッテリ５ｊの直接の接触により１つに削減されて通路５ｐの内部にバッテリ５ｊに近接されて設けられ、ボール５ｏに圧接して拘束することができ、少しの応力が掛かるとボール５ｏの離脱を許容するバネ座構造に形成されている。また、通路５ｐの内部の接点５ｌから離れた箇所には、バネ座構造の接点５ｌと同一構造のボール座５ｑを対称的に設けてある。
【００３１】
この実施の形態によると、竿１を小動物の捕獲の為に振出す衝撃を加えることで、竿１に掛かる応力（衝撃）で投光器５のボール５ｏがボール座５ｑから離脱して通路５ｐを転動移動し接点５ｌに拘束され、投光器５から光が照射される。即ち、竿１を掴んだ使用者の捕獲動作に応動して、投光器５から光が照射される。従って、投光器５についての特別なＯＮ操作が不要になる。なお、投光器５からの光の照射を停止するには、ボール５ｏに逆方向へ応力が作用するように竿１を操作すればよい。
【００３２】
さらに、この実施の形態によると、投光器５のスイッチを竿１に組付ける必要がないため、竿１の先端部から抜差しする着脱が可能になり、さらにスイッチの組付けがないため、簡単に製作ができ、価格も安価にできる。また、昼間に投光器５を取外しておけば、投光器５が不測に光を照射してバッテリ５ｊを無駄に消耗することがない。なお、取外した投光器５のキャップ５ｂのみを竿１の先端部に螺合固定しておけば、竿１の内部への水，土砂等の侵入を防止することができる。
【００３３】
投光器５は、図１に示すように、竿１の延長線上付近にある網枠２の一部と網枠２の外部空域と網袋４の一部とを照射するように設定されている。
【００３４】
この実施の形態によると、投光器５による照明範囲が拡張されるため、夜間に網枠２の位置を正確に知ることができるとともに、掛けた魚等の捕獲しようとする小動物の位置をも正確に知ることができる。従って、小動物が網枠２から少し離れていても、網枠２を頻繁に移動させて小動物の位置を探照する必要がなくなる。この結果、小動物に危険を察知させてしまって取逃がしてしまうことが防止され、捕獲性能が向上する。また、投光器５が網袋４の一部をも照射しているため、捕獲され網袋に４に入った小動物を明確に確認することができる。
【００３５】
なお、投光器５による照明範囲が拡張されるため、投光器５を集魚灯のように使用することもできる。また、着脱自在なため、昼間にバッテリ５ｊを消耗することなく使用することができる。
【００３６】
以上、図示した実施の形態の他に、前述の実施の形態（１），（２）について、投光器５のキャップ５ｂをケース５ａに螺合固定する構造とし、投光器５を竿１の先端部に圧入固定するようにすることも可能である。
【００３７】
さらに、木の上にいる昆虫等の捕獲に供する為には、前述の実施の形態（１）について、投光器５の入，切の切換が上下逆になるように構成することも可能である。
【００３８】
【発明の効果】
以上のように、本発明に係る捕獲用網は、竿に装備された投光器が竿を掴んだ使用者の捕獲動作に応動して投光器が照射するため、投光器についての特別なＯＮ操作が不要になる効果がある。
【００３９】
さらに、請求項２として、投光器の点灯・消灯が、竿に掛かる応力（衝撃）で入切できる為、竿を掴んだ使用者が竿の傾斜に関係なく捕獲動作で振り出す衝撃を加えることで、任意に投光器をＯＮさせる事ができ、従来のスイッチ動作が必要なくなり、すばやく小動物の捕獲動作に入れる効果がある。
【図面の簡単な説明】
【図１】  本発明に係る捕獲用網の実施の形態（１）を示す側面図である。
【図２】  図１の要部の拡大縦断面図である。
【図３】  本発明に係る捕獲用網の実施の形態（２）を示す、要部の拡大縦断面図である。
【図４】  図１の要部の一部切断の拡大平面図である。
【図５】  従来例を示す、正面図である。
【図６】  従来例を示す、平面図である。
【符号の説明】
１      竿
１ａ    空隙
１ｂ    雄ネジ
２      網枠
２ａ    連結端
２ｂ    連結端
３      連結具
３ａ    連結孔
３ｂ    連結孔
４      網袋
５      投光器
５ａ    ケース
５ｂ    キャップ
５ｃ    パッキング
５ｄ    フランジ
５ｆ    雄ネジ
５ｇ    レンズ
５ｈ    発光体
５ｉ    反射鏡
５ｊ    バッテリ
５ｋ    リード片
５ｌ    接点
５ｎ    スイッチ操作部
５ｏ    ボール
５ｑ    ボール座
５ｐ    通路
５ｒ    取付座
５ｓ    止ピン
【図１】
0004638595.tif 000002
【図２】
0004638595.tif 000003
【図３】
0004638595.tif 000004
【図４】
0004638595.tif 000005
【図５】
0004638595.tif 000006
【図６】
0004638595.tif 000007